(57)【要約】【課題】本発明はフィルムスイッチをずれ動きなしに押圧感度を向上させ、過度の押圧と外被の形崩れによるフィルムスイッチの潰れ，捩れ等を防止して保護する保護手段を構築することを課題にしている。【解決手段】本発明は外被内の下半にフィルムスイッチを挿通して、このフィルムスイッチに向けて垂直の押圧片と左右の押圧用の横片を設け、また台座レールの側板を長大にすることで嵌入溝を深くして外被を形崩れしないように深く載嵌着して課題を解決する。【選択図】図３
2020202043.tif 000002
【特許請求の範囲】
【請求項１】
フィルムスイッチをずれ動きしないように外被の下半に挿通するとともに、該外被の頂点中心よりフィルムスイッチの上面に向けて垂直の押圧片とおよび左右両側より該垂直の押圧片の下部に向けて押圧用の横片を設けて、これらの押圧片，横片の押圧によりフィルムスイッチの押圧によるスイッチ感度を向上するようにしたことを特徴とするフィルムスイッチのスイッチ感度向上装置。
【請求項２】
左右の押圧用の横片を外高内低の傾斜を附してフィルムスイッチの斜め上方からの押圧感度をさらに向上させる請求項１に記載のフィルムスイッチのスイッチ感度向上装置
【請求項３】
外被を載嵌着する台座レールの両側間に深い嵌入溝を設けて、外被を形崩れしないように深く嵌入止めしてフィルムスイッチを過度の外圧，押圧と外被の形崩れにより潰れ，捩れ等が生じないようにしたフィルムスイッチの保護装置。
【発明の詳細な説明】
【技術分野】
【０００１】
本発明は、フィルムスイッチの押圧感度の向上と保護装置に関するものである。
【背景技術】
【０００２】
フィルムスイッチについては特許第４５４５６３５号公報と同、第４６７１２３７号公報がある。両公報は絶縁フィルムの折り返しにより反撥性を備えた細帯状の上辺と下辺を設け、この上下辺に多数の相対窓孔を並設してそれぞれの窓孔に面して導電線につながる接点子を臨ませ、押圧を受けた箇所の接点子間の接離にてスイッチ作用をするようにしている。
【０００３】
これらのフィルムスイッチを挿通する筒形をした外被と台座レールについては実用新案登録第３１２８６３７号公報に記載がある。この公報は長尺スイッチの両端部の不感知部分を解消するために外被内の端部空間２ａ内に封止体２２を具備させて押圧時に封止体２２が端部空間２ａ内で撓むことによりアクチュエータ板７を介してスイッチをＯＮさせるようにして両端部の不感知部分を解消するということと、台座レール１０にて外被１１の下部を載嵌着することを記載している。
【先行技術文献】
【特許文献】
【０００４】
【特許文献１】特許第４５４５６３５号公報
【特許文献２】特許第４６７１２３７号公報
【特許文献３】実用新案登録第３１２８６３７号公報
【発明の概要】
【発明が解決しようとする課題】
【０００５】
しかしながら、上記公報の電極２３，２４はアクチュエータ板７上とするために外被１１の上面下に近接していることから、ずれ動いてスイッチ操作を不能にするという課題がある。また、構造が複雑なため、点検・修理等が容易でないものにしているという課題がある。
【０００６】
また、台座レール１０は上面の浅い皿形の嵌入溝にて外被１１の下部を載嵌着する記載によって、外被１１は押圧を受けることで形崩れして外被１１内の電極２３，２４に潰れ，捩れ等の障害を生ずるという課題がある。
【課題を解決するための手段】
【０００７】
本発明はフィルムスイッチをずれ動きのない外被の上面から離れた下半部に挿通し、このフィルムスイッチに向けて外被内の上半に垂直の押圧片と左右の押圧用の横片を設けて、これらの押圧片と横片にてフィルムスイッチを押圧して感度よくスイッチ操作するようになる。
【０００８】
また、この外被を載嵌着する台座レールは深い嵌入溝を設けて外被を形崩れしないように深く載嵌着して、フィルムスイッチに外被の形崩れによる潰れ，捩れ等の支障が生じないようにして課題を解決する。
【発明の効果】
【０００９】
本発明はフィルムスイッチを外被内の下半に挿通したことで、フィルムスイッチは押圧によるずれ動きが生じないという効果を生ずる。
【００１０】
フィルムスイッチは垂直の押圧片と左右の横片にて押圧を受けることで敏感に反応してスイッチ操作をするという効果を生ずる。
【００１１】
左右の押圧用の横片を外高内低に傾斜させることで、フィルムスイッチは斜角からの押圧感度をさらに向上させることができるという効果を生ずる。
【００１２】
台座レールは深い嵌入溝を設けて外被を形崩れしないように深く載嵌着することで、外被内のフィルムスイッチは外被の形崩れによる潰れ，捩れ等が生じないという効果を生ずる。
【図面の簡単な説明】
【００１３】
【図１】本発明の第１実施例を示すもので、フィルムスイッチと外被および台座レールを各別に示す斜視図
【図２】同、組付けた状態にて示す断面図
【図３】押圧によりスイッチ作用した状態を示すもので、（ａ）は上方から、（ｂ）左斜め上方から、（ｃ）は右斜め上方から押圧された時の状態を示す断面図
【図４】本発明の第２実施例を示すもので、（ａ）は左右の横片に外高内低の傾斜を附した例を示す断面図、（ｂ）は同、押圧されてスイッチ作用した状態を示す断面図
【図５】本発明の第３実施例を示す断面図
【発明を実施するための形態】
【００１４】
本発明は、断面を中空のアーチ形とする外被内の下半にフィルムスイッチを挿通し、この外被の頂部中心よりフィルムスイッチの上面中心に向けて垂直の押圧片と左右両側より垂直の押圧片の下部に向けて押圧用の横片を設けて、外被の上方と左右の斜め上からの押圧を受けてこれらの押圧片にてフィルムスイッチを押圧してスイッチを感度よくスイッチ操作するようにする。
【００１５】
また、台座レールは両側板の縦長を増長して両側板間にて深い嵌入溝を形成して外被を保形するように深く載嵌着してフィルムスイッチを外被の形崩れによる潰れ，捩れなどの障害が生じないようにして構成する。
【実施例１】
【００１６】
図１乃至図３は本発明の第１実施例であって、反撥性を有す絶縁フィルムの長手方向に沿った折り返しにて細帯状のスイッチ体を形成し、スイッチ体の上面板１ａに長手方向に間隔を置いて窓孔２を並設し、該窓孔２内に表出し導電線につながる接点子３ｂを先部上面に設けた弾撥細片１ｂと、該接点子３ｂが反撥接面する上面板１ａの下面に導電線につながる接点子３ａを設け、押圧を受けた箇所の接点子３ａ，３ｂの接離にてスイッチをＯＮ，ＯＦＦするようにしてフィルムスイッチＦを形成する。
【００１７】
このフィルムスイッチＦは断面を中空のアーチ形とするゴム製の外被４内の下半４ａに挿通して接着固定し、外被４内の上部の頂点中心よりフィルムスイッチＦの中心上に向けて垂直の押圧片５と左右の側面より垂直の押圧片５の下部に向けて水平の横片６ａ，６ｂを設ける。これらの押圧片５と横片６ａ，６ｂは外被４と同質材であって、外被４の長さ方向に伸びていてフィルムスイッチＦをどの箇所でも押圧するように近接して設けられる。
【００１８】
フィルムスイッチＦを使用する際は外被４の底部４ｂを台座レール７上に載嵌着して使用箇所に敷設等するのである。
【００１９】
フィルムスイッチＦは外被４が上方または左右の斜め上方からの押圧を受けると、図３の（ａ）（ｂ）（ｃ）に示すように垂直の押圧片５の下押しにより、または横片６ａ，６ｂの一方の面の面押しにてフィルムスイッチＦは押圧箇所の接点子３ａ，３ｂの接離によりスイッチをＯＮ，ＯＦＦすることになる。
【実施例２】
【００２０】
図４は本発明の第２実施例であって、左右の横片６ａ，６ｂを外高、内低の傾斜を附して内向させて、左右の斜め上からの押圧に対するフィルムスイッチＦの被圧による反応感度をさらに向上するようにしたのである。その他の構成と作用は第１実施例と同じである。
【実施例３】
【００２１】
図５は本発明の第３実施例であって、台座レール７の両側の側板７ａ，７ｂの縦長を長大にして、その間に深い嵌入溝７ｃを設けて外被４を深く、換言すれば外被４の半分強を載嵌着して形崩れをしないようにして、フィルムスイッチＦを過度の加圧，押圧と外被の形崩れによる潰れ，捩れ等が生じないようにしたのである。その他の構成と作用は第１，第２実施例と同じである。
【産業上の利用可能性】
【００２２】
本発明はフィルムスイッチをずれ動きなしにスイッチ反応感度を格段に向上させることと、外被の形崩れによるフィルムスイッチの潰れ，捩れ等を生じないように保護することで広く利用されるものである。
【符号の説明】
【００２３】
１ａはスイッチ体の上面板
１ｂはスイッチ体の弾撥細片
２は窓孔
３ａ，３ｂは接点子
４は外被
４ａは外被の下半
４ｂは外被の底部
５は垂直の押圧片
６ａ，６ｂは水平の横片
７は台座レール
７ａ，７ｂは側板
７ｃは嵌入溝
Ｆはフィルムスイッチ
【図１】
2020202043.tif 000003
【図２】
2020202043.tif 000004
【図３】
2020202043.tif 000005
【図４】
2020202043.tif 000006
【図５】
2020202043.tif 000007